(57)【要約】【課題】家庭用の弁当箱として実用的で、しかも印象的なデザインが付与された弁当箱を提供する。【解決手段】弁当箱本体と、中蓋２と、透明樹脂成形体からなる外蓋３と、箸４とを備え、上記箸４が、上記中蓋２の上面２１に設けられた係合用突片２２、２３によって、上記中蓋２の上面２１を略完全に横切る配置で係止されており、上記外蓋３に、上記箸４の少なくとも一部を透かして見せる配置で不透明な着色模様層２０が設けられている。そして、上記着色模様層２０と、外蓋３の透明部分から透けて見える箸４とが、一つの統一した図柄として視認されるよう構成されている。【選択図】図１
2017093827.tif 000002
【特許請求の範囲】
【請求項１】
内容物を収容するための凹部を有する弁当箱本体と、上記弁当箱本体の上面開口を蓋する中蓋と、透明樹脂成形体からなり上記中蓋の上面を蓋する外蓋と、上記中蓋と外蓋との間に配置される飲食補助具とを備えた弁当箱であって、上記飲食補助具が、上記中蓋の上面に設けられた係止部との着脱自在な係合によって、中蓋上面を略完全に横切る配置で係止されているとともに、上記外蓋に、上記中蓋上面に係止された飲食補助具の少なくとも一部を透かして見せる配置で不透明な着色模様層が設けられており、上記外蓋で中蓋上面を蓋した状態で、上記外蓋の着色模様層と、外蓋の透明部分から透けて見える飲食補助具とが、一つの統一した図柄として視認されるよう構成されていることを特徴とする弁当箱。
【請求項２】
上記外蓋の透明部分から、飲食補助具とともに中蓋上面の一部が透けて見えるようになっており、上記中蓋上面の、外蓋の透明部分から透けて見える部分が、上記外蓋の着色模様層と、外蓋の透明部分から透けて見える飲食補助具とで構成される図柄の一部となるよう着色されている請求項１記載の弁当箱。
【発明の詳細な説明】
【技術分野】
【０００１】
本発明は、中蓋と外蓋の間に配置される箸等の飲食補助具を、外蓋に付与された図柄の一部として見せる、興趣に富む弁当箱に関するものである。
【背景技術】
【０００２】
従来、弁当箱として、本体と蓋だけのもの、二段重ねのもの、重箱のように三段以上重ねたもの等、様々な形態のものが出回っている。そのなかでも、家庭で多く用いられている弁当箱の一例を、図５に示す。この弁当箱は、全体がプラスチック製で、ご飯やおかずを詰めて収容する弁当箱本体１と、浅い凹状の中蓋２と、外蓋３とで構成されており、上記中蓋２の凹部内には、飲食補助具（この例では箸４）が収納できるようになっている。そして、外蓋３の両側には、密封用の係合ガイド５がヒンジ連結されており、これらの係合ガイド５を、弁当箱本体１の両側に設けられたフランジ部６に係合させることにより、弁当箱本体１と外蓋３とを、密閉することができるようになっている。
【０００３】
一般に、このような弁当箱を包む布や袋には、凝ったデザインのものが多い反面、弁当箱自体は、清潔な印象を与える、シンプルなデザインのものが好まれる傾向が強い。そのため、外蓋３に人気キャラクターの図柄等をあしらうことはあっても、目立つところに過剰な装飾を施したりメーカーのロゴを入れたりすることはあまりなされていない。
【０００４】
一方、市販の弁当や仕出し弁当に用いられる弁当箱の容器には、弁当を印象付ける装飾を施したり、そのサービスの内容を説明したり広告したりするための表示を付けることが、よく行われている（特許文献１等を参照）。その一例を図６に示す。この弁当箱は、コンビニエンスストア等で市販されるもので、蓋７の上面に、文字部８とバーコード部９からなる広告表示部１０が設けられている。また、弁当箱本体１１の、ご飯を入れる凹部の底面に、上記広告表示部１０に記載された内容と同様の文字部８を有する広告表示部１０′が設けられている。したがって、顧客は、蓋７を開ける際と、ご飯を食べた後の２度にわたって、同一の広告表示を目にするため、広告効果が高いというものである。
【先行技術文献】
【特許文献】
【０００５】
【特許文献１】特開２００７−３３５４６号公報
【発明の概要】
【発明が解決しようとする課題】
【０００６】
ところで、日常的に用いられる家庭用の弁当箱においても、そのシンプルな機能美を損なうことなく、メーカーのロゴを入れる等の広告要素を加えることが検討されている。また、新製品や季節限定品の販売促進グッズとして、弁当箱を提供することがあるが、その場合も、弁当箱に、印象的なデザインやロゴを付加することが検討されている。
【０００７】
しかしながら、図６に示すような、あからさまな広告表示を、家庭で使用する弁当箱に付与すると、顧客に敬遠されてしまうおそれがあり、好ましくない。かといって、一般的なデザインでは、顧客の関心を集めることができず、充分な販促効果が得られないおそれがある。
【０００８】
そこで、家庭用の弁当箱として繰り返し使用することができ、しかもその機能を損なうことなく印象的なデザインが付与された弁当箱の提供が求められているが、そのようなものは、未だ実現していないのが実情である。
【０００９】
本発明は、このような事情に鑑みなされたもので、家庭用の弁当箱として実用的で、しかも印象的なデザインが付与された弁当箱の提供をその目的とする。
【課題を解決するための手段】
【００１０】
上記の目的を達成するため、本発明は、内容物を収容するための凹部を有する弁当箱本体と、上記弁当箱本体の上面開口を蓋する中蓋と、透明樹脂成形体からなり上記中蓋の上面を蓋する外蓋と、上記中蓋と外蓋との間に配置される飲食補助具とを備えた弁当箱であって、上記飲食補助具が、上記中蓋の上面に設けられた係止部との着脱自在な係合によって、中蓋上面を略完全に横切る配置で係止されているとともに、上記外蓋に、上記中蓋上面に係止された飲食補助具の少なくとも一部を透かして見せる配置で不透明な着色模様層が設けられており、上記外蓋で中蓋上面を蓋した状態で、上記外蓋の着色模様層と、外蓋の透明部分から透けて見える飲食補助具とが、一つの統一した図柄として視認されるよう構成されている弁当箱を第１の要旨とする。
【００１１】
また、本発明は、そのなかでも、特に、上記外蓋の透明部分から、飲食補助具とともに中蓋上面の一部が透けて見えるようになっており、上記中蓋上面の、外蓋の透明部分から透けて見える部分が、上記外蓋の着色模様層と、外蓋の透明部分から透けて見える飲食補助具とで構成される図柄の一部となるよう着色されている弁当箱を第２の要旨とする。
【発明の効果】
【００１２】
すなわち、本発明の弁当箱は、中蓋の上面に、箸やフォークといった飲食補助具を動かないよう係止し、この飲食補助具を、外蓋の透明部分から見せ、外蓋に設けられた不透明な着色模様層と組み合わせることによって、一つの統一した図柄として視認させるようにしたものである。
【００１３】
この構成によれば、弁当箱の外蓋を中蓋に重ねて閉じた状態では、特定の図柄（キャラクターやロゴ）を認識することができ、外蓋を外して飲食補助具を手にした状態では、外蓋においても、飲食補助具においても、当初認識された図柄が消失するため、その落差が非常に興味深いものとなる。このため、この弁当箱を販促品として配布したり、宣伝広告に用いたりすることにより、顧客に対し高い訴求効果を与えることができる。
【００１４】
また、本発明の弁当箱では、中蓋の上面に箸等の飲食補助具が、中蓋の上面を略完全に横切る配置で係止されているため、この飲食補助具が中蓋の補強ガイドとしての役割を果たす。したがって、この弁当箱を携帯する際、外からの衝撃や振動で中蓋が弁当箱本体の開口から浮き上がったりずれたりせず、中身がこぼれたり水分がしみだしたりすることを防止するという利点を有する。そして、繰り返し使用しても、中蓋がご飯等の熱で反って歪むようなこともなく、その平面性を長く維持することができるという利点も有する。
【００１５】
そして、本発明の弁当箱のなかでも、特に、上記外蓋の透明部分から、飲食補助具とともに中蓋上面の一部が透けて見えるようになっており、上記中蓋上面の、外蓋の透明部分から透けて見える部分が、上記外蓋の着色模様層と、外蓋の透明部分から透けて見える飲食補助具とで構成される図柄の一部となるよう着色されている弁当箱は、外蓋の透明部分から透けて見える中蓋上面も、外蓋から見える図柄の一部となるため、全体として、より印象的なデザインの図柄を得ることができ、好適である。
【図面の簡単な説明】
【００１６】
【図１】本発明の一実施の形態である弁当箱を示す分解斜視図である。
【図２】（ａ）は上記実施の形態に用いられる外蓋の平面図、（ｂ）は上記実施の形態に用いられる中蓋と飲食補助具を示す平面図、（ｃ）は上記中蓋の上に外蓋を被せて蓋をした状態を示す平面図である。
【図３】（ａ）は本発明の他の実施の形態に用いられる外蓋の平面図、（ｂ）は上記他の実施の形態に用いられる中蓋と飲食補助具を示す平面図、（ｃ）は上記中蓋の上に外蓋を被せて蓋をした状態を示す平面図である。
【図４】（ａ）は、これらの実施の形態に用いられる中蓋の説明図、（ｂ）は、上記中蓋の変形例の説明図である。
【図５】従来の、家庭用の弁当箱の一例を示す分解斜視図である。
【図６】従来の、市販の弁当箱の一例を示す分解斜視図である。
【発明を実施するための形態】
【００１７】
つぎに、本発明を実施するための形態について説明する。ただし、本発明は、以下の実施の形態に限定されるものではない。
【００１８】
図１は、本発明の一実施の形態である弁当箱を示している。この弁当箱は、弁当箱本体１と、その上面開口を蓋して密閉する中蓋２と、この中蓋２の上面に配置される一膳の箸４と、この中蓋２の上に被せて蓋をする外蓋３とで構成されている。なお、上記外蓋３は、これを上記中蓋２の上に被せた後、輪になったゴムバンド（図示せず）を全体に掛けることによって一体的に保持されるようになっている。
【００１９】
この弁当箱の外蓋３は、透明な樹脂成形体（アクリロニトリル−スチレン−ブタジエン共重合樹脂製）からなり、その表面に、不透明なインクを印刷してなる着色模様層２０が形成されている。より詳しく説明すると、この着色模様層２０の図柄は、外蓋３の平面図である図２（ａ）に示すように、その略中央から下の部分に、上から順に、黄、緑、水色、青、紫の５つの色の帯が左右方向に延びる色模様１５と、白色の領域を雲のように青い輪郭線でかたどった色模様１６と、上記色模様１５をあたかも五線譜のように見立てて配置された黒色の音符模様１７と、「れいんぼう」の文字１８とを組み合わせた構成になっている。そして、この着色模様層２０は不透明であることから、着色模様層２０が形成された部分は不透明で反対側が見えず、それ以外の部分は透明で、反対側が透けて見えるようになっている。
【００２０】
また、この弁当箱の中蓋２は、不透明な水色に着色された樹脂成形体（ポリプロピレン製）からなり、その上面２１が、周縁部より一段低く凹状に形成されており、この凹状部分を、弁当箱本体１の上面開口に嵌入することによって、弁当箱本体１内を密封するようになっている。そして、上記中蓋２の上面２１には、中蓋２の平面図である図２（ｂ）に示すように、容器長手方向両端部に、互いに向かい合う二対の係合用突片２２、２３が設けられており、その間に、一膳の箸４が、中蓋２の上面２１を長手方向に横切る配置で、着脱自在に係止されている。
【００２１】
上記箸４は、不透明の樹脂成形体（ポリフェニレンサルファイド製）からなり、向かって上側に配置される箸４ａは、赤色に着色されており、向かって下側に配置される箸４ｂは、オレンジ色に着色されている。
【００２２】
そして、上記中蓋２の上に外蓋３を被せて蓋すると、図２（ｃ）に示すように、外蓋３の透明部分から、中蓋２の上面が透けて見えるため、外蓋３に形成された着色模様層２０の、５つの色の帯からなる色模様１５の上に、オレンジ色の箸４ｂと赤色の箸４ａとが、この順で並んで見える。また、その背景が、中蓋２の水色となるため、雲を模した色模様１６と相俟って、これら七つの色が、青空に浮かんだ虹のように見える。これにより、外蓋３だけを見た場合には、単に五線譜の上に音符が付され、その下に「れいんぼう」と歌詞がついて、楽譜の一部のように見えていた図柄が、中蓋２と重ねることによって、七色の虹の上に音符が並び、その「虹」を意味する「れいんぼう」の文字１８が組み合わせられた模様となるため、「虹」を強く印象付ける図柄となる。
【００２３】
したがって、この弁当箱を販売促進のためのグッズとして配布するメーカーが、例えば「虹色商店」というような、虹に関係のある社名を有する場合や、あるいは新製品としてレインボーカラー７色の色違いのシリーズを販売する場合等に、顧客に、その社名や新製品の特徴を強く印象付けることができ、優れた販売促進効果を得ることができる。そして、外蓋３を外し、箸４を手にして食事をする場合には、外蓋３からも、中蓋２からも、「虹」の図柄は消失するため、メーカーの社名や新製品の宣伝機能が目に入らず、普通の弁当箱として使用することができる。
【００２４】
しかも、上記弁当箱によれば、中蓋２の上面に、箸４を、それが中蓋２の上面を略完全に横切る配置で係止しているため、この箸４が、中蓋２の補強ガイドとしての役割を果たす。したがって、この弁当箱を携帯する際、外からの衝撃や振動で中蓋２が弁当箱本体１の開口から浮き上がったりずれたりしにくく、中身に対する密閉度が高くなるという利点を有する。そして、この弁当箱を繰り返し使用しても、中蓋２がご飯等の熱で反ったり歪んだりすることが抑制されるため、中蓋２の平面性を長く維持することができるという利点も有する。
【００２５】
なお、上記の例は、中蓋２の上面に配置する飲食補助具として、箸４を用いた例であるが、飲食補助具は、箸４に限らず、フォークやスプーンであってもよい。例えば、基本的な構成は上記図１に示すものと同様で、飲食補助具がフォーク３０であり、フォーク３０の形状を活かした図柄が付与された例を、図３に示す。
【００２６】
すなわち、この例では、図３（ａ）に示すように、透明な外蓋３の表面に、黄色い三日月を模した模様３１と、上下２つの長手方向に延びる紺色の帯状模様３２と、その間の透明部分に点在する、黄緑色の模様３３とで構成された、不透明な着色模様層２０′が形成されている。そして、この着色模様層２０′が形成されていない部分は透明で、反対側が透けて見えるようになっている。
【００２７】
また、この弁当箱の中蓋２は、水色に着色された不透明な樹脂成形体（ポリプロピレン製）からなり、図３（ｂ）に示すように、上記の例と同様、周縁部より一段低く凹状に凹んだ上面２１の長手方向両端部に、互いに向かい合う二対の係合用突片２２、２３が設けられている。そして、上記係合用突片２２、２３の間に、一本のフォーク３０が、中蓋２の上面２１を長手方向に横切るような配置で、着脱自在に係止されている。
【００２８】
上記フォーク３０は、不透明の樹脂成形体（ポリフェニレンサルファイド製）からなり、地の部分がベージュ色に着色されており、柄の部分に、黄緑色の太い線からなる不規則な模様３４が設けられている。
【００２９】
そして、上記中蓋２の上に外蓋３を被せて蓋をすると、図３（ｃ）に示すように、外蓋３の透明部分から、中蓋２の上面が透けて見えるため、あたかも三日月をフォーク３０ですくっているかのように見える。また、フォーク３０の柄の部分に付与された模様３４と、外蓋３側の模様３３とがつながって見え、「ＭＯＯＮ」の文字を読み取ることができる。さらに、フォーク３０の背景は、中蓋２の水色になっており、その上下に、外蓋３側の紺色の帯状模様３２が配されるため、フォーク３０の周辺が、月明かりによって明るく照らされているかのように見える。これらの構成から、全体の図柄が、「月」を強く印象付ける模様となる。この弁当箱によっても、図１、図２に示す実施の形態と同様の効果を奏することができる。
【００３０】
なお、本発明において、中蓋２の上面２１に配置される飲食補助具（箸４やフォーク３０等）は、外蓋３の上から見える図柄の一部となるものであることから、その位置が、外蓋３側に設けられた着色模様層２０、２０′に対してずれないよう、中蓋２の上面２１にしっかりと係止されることが重要である。そのためには、図４に示すように、中蓋２の上面２１の、長手方向の内寸法をＬとすると、飲食補助具が中蓋２の長手方向にずれないよう、長手方向の全長を、０．９３Ｌ〜Ｌに設定することが好適である。また、飲食補助具が、中蓋２の幅方向にずれないよう、二対の係合用突片２２、２３の長さＭを、０．０４Ｌ以上にすることが好ましい。そして、係合用突片２２、２３の係止幅Ｎ、Ｎ′は、この間に挟む飲食補助具の両端形状に応じて、適宜の幅に設定される。
【００３１】
そして、上記二つの例では、飲食補助具を係止するための係止手段として、中蓋２の長手方向両端部に二対の係合用突片２２、２３を設けたが、係止手段の構成は、この例に限るものではなく、飲食補助具を、これが中蓋２の上面２１を略完全に横切る配置となるよう係止するものであれば、どのような構成であっても差し支えない。例えば、図４（ｂ）に示すように、中蓋２の凹んだ上面２１の、長手方向の一端から他端まで延びる２本の突条２４、２５を設け、この突条２４、２５の間に、飲食補助具を挟むようにしてもよい。
【００３２】
また、上記二つの例では、中蓋２の上面２１に係止される飲食補助具が、中蓋２の上面２１を、その長手方向の一端から他端まで、左右方向に一直線に横切る配置になっているが、飲食補助具の配置は、必ずしも中蓋２の上面２１を左右方向に一直線に横切るものである必要はなく、中蓋２の上面２１を斜め方向に横切るものであってもよい。
【００３３】
ただし、本発明において、上記飲食補助具は、外蓋３の着色模様層２０、２０′との位置合わせの点からすれば、中蓋２の上面２１において完全に動かないよう固く係止することが望ましいが、弁当箱としての実用性からすれば、中蓋２の上面２１から飲食補助具を容易に取り出せる方が使い勝手がよい。このため、飲食補助具と中蓋２との係合は、多少緩く設定されていても差し支えない。
【００３４】
なお、外蓋３に設けられる着色模様層２０、２０′と、飲食補助具とで構成される図柄のデザインは、外蓋３を単体で見たときと、外蓋３を中蓋２に被せて蓋をした状態で見たときとの落差が大きく、しかも両者を組み合わせた図柄が、販売促進の対象となる商品や、商品を作るメーカー名等を印象付けるようなものであることが望ましい。
【００３５】
また、上記二つの例では、中蓋２の上面２１の色自体も、外蓋３の着色模様層２０、２０′との組み合わせによって得られる図柄の一部として認識されるようにしたが（第１の例では「虹」の背景となる空の色としての水色、第２の例では「月」が紺色の夜空を照らして明るくした色としての水色）、中蓋２の上面にも、色模様を有する着色模様層を形成して、外蓋３側の着色模様層２０、２０′と組み合わせることによって、より複雑な図柄を得ることができる。このように、中蓋２の上面２１に配置される飲食補助具だけでなく、中蓋２の上面２１自身も、外蓋３側の着色模様層２０、２０′との組み合わせで得られる図柄の一部となるようにすると、得られる図柄が、より完成度の高い図柄となり、強い印象となるため、好適である。
【００３６】
そして、本発明は、これらの例に限らず、弁当箱本体１と、中蓋２と、中蓋２の上面２１に配置される飲食補助具と、外蓋３とを備えた構成を有するものであれば、どのような弁当箱に対しても適用することができる。例えば、弁当箱本体１が、さらに複数の凹状ケースを重ねるものであってもよい。また、汁物や丼物を収容することを目的とした平面視円形の弁当箱や,他の様々な輪郭形状の弁当箱に対しても、本発明を適用することができる。
【産業上の利用可能性】
【００３７】
本発明は、販促グッズ等に適した、顧客への訴求効果の高い弁当箱に利用することができる。
【符号の説明】
【００３８】
２  中蓋
３  外蓋
４  箸
２０  着色模様層
２１  上面
２２、２３  係合用突片
【図１】
2017093827.tif 000003
【図２】
2017093827.tif 000004
【図３】
2017093827.tif 000005
【図４】
2017093827.tif 000006
【図５】
2017093827.tif 000007
【図６】
2017093827.tif 000008